(57)【要約】【課題】  本発明は、今までにない外観を呈し、かつ施工性、防水機能、断熱機能、結露防止機能、等を具備した外壁材に係るものである。【解決手段】  垂直な化粧面４と、化粧面４の上端を外方に突出した第１防水片１３と、第１防水片１３の先端部分を上側に突出した嵌合片１７と、第１防水片１３の先端部分を下側へ突出すると共に先端を外方に突出して突起１９を形成した第２防水片１８と、化粧面４の上端をさらに上側に突出した固定片１５を形成した雌型連結部２１と、化粧面４の下端近傍を内側方に突出した最奥片８と、最奥片８の先端を下方に突出した差込片９と、化粧面４と最奥片８と差込片９とから係合溝１０を形成した雄型連結部１２とから形成すると共に、化粧面４の下端が下段となる外壁材Ａの化粧面４の上端部に覆い被さるように形成した外壁材Ａである。【選択図】図１
2006193957.tif 000002
【特許請求の範囲】
【請求項１】
垂直な化粧面と、該化粧面の上端を外方に突出した第１防水片と、該第１防水片の先端部分を上側に突出した嵌合片と、第１防水片の先端部分を下側へ突出すると共に先端を外方に突出して突起を形成した第２防水片と、化粧面の上端をさらに上側に突出した固定片を形成した雌型連結部と、化粧面の下端近傍を内側方に突出した最奥片と、該最奥片の先端を下方に突出した差込片と、化粧面と最奥片と差込片とから係合溝を形成した雄型連結部とから形成すると共に、化粧面の下端が下段となる外壁材の化粧面の上端部に覆い被さるように形成したことを特徴とする外壁材。
【発明の詳細な説明】
【技術分野】
【０００１】
本発明は、今までにない外観を呈し、かつ施工性、防水機能、断熱機能、結露防止機能、等を具備した外壁材に係るものである。
【背景技術】
【０００２】
一般に、金属製板材をロール成形、プレス成形等して加工した外壁材は数多く上市され、その形状は、所謂落とし込み構造であった。（例えば、特許文献１〜５参照）。
【０００３】
【特許文献１】特開平１１−１７２８８４号公報
【特許文献２】特開平１１−１７２８９２号公報
【特許文献３】特開平１１−２１０１４９号公報
【特許文献４】特開２００２−２２０９０８号公報
【特許文献５】特開２００２−２３５４２３号公報
【発明の開示】
【発明が解決しようとする課題】
【０００４】
特許文献１〜５は落とし込み構造であるが、嵌合構造が単純で係合力、耐風圧強度、気密性、等に弱点があった。さらに、意匠性に乏しく、窯業系外壁材に劣るものであった。
【課題を解決するための手段】
【０００５】
本発明はこのような欠点を解決するために、垂直な化粧面と、化粧面の上端を外方に突出した第１防水片と、第１防水片の先端部分を上側に突出した嵌合片と、第１防水片の先端部分を下側へ突出すると共に先端を外方に突出して突起を形成した第２防水片と、化粧面の上端をさらに上側に突出した固定片を形成した雌型連結部と、化粧面の下端近傍を内側方に突出した最奥片と、最奥片の先端を下方に突出した差込片と、化粧面と最奥片と差込片とから係合溝を形成した雄型連結部とから形成すると共に、化粧面の下端が下段となる外壁材の化粧面の上端部に覆い被さるように形成した外壁材を提供するものである。
【発明の効果】
【０００６】
本発明に係る外壁材によれば、（１）第１防水片と第２防水片を形成した嵌合片が外壁材を落とし込み構造としても、防水性を維持できる。（２）上段の外壁材を下段の外壁材へ施工した際に、下段の外壁材の第２防水片が上段の外壁材の上面に接触し、常時第２防水片が係合溝内でスプリングバック効果を発揮し、防水性、気密性を向上するものである。（３）第２防水片の形成により、外壁材同士の連結部内で相対する力が相殺されるために、外壁材が破壊されたり、固定片に形成した固定具が下地より抜け落ちない限り、外壁材が風により剥がされることはない。等の特徴、効果がある。
【発明を実施するための最良の形態】
【０００７】
以下に図面を用いて本発明に係る外壁材について詳細に説明する。図１、図２（ａ）、（ｂ）は金属製外壁材Ｂと裏打材ＣとシートＤよりなる外壁材Ａの代表的一例を示す説明図、図３〜図５は外壁材Ａの施工順序を示す説明図、図６は外壁材Ａの施工状態を示す説明図である。図中、αは下地、βは釘等の固定具、γは空間を示している。
【０００８】
下地αは、新築の際は図６に示すように躯体１、胴縁２、防水シート３から構成した木造下地を示したものである。すなわち、躯体１上に胴縁２を敷設し、胴縁２上に防水シート３を配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、既存の壁を剥がして下地αとしたり、既存の壁をそのまま下地αとして改修する際には、これら下地α上に既存壁（図示せず）が形成された既存壁構造が下地αとなるものである。勿論、防水シート３を形成しない下地αでも良いものである。
【０００９】
金属製外壁材Ｂは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。勿論、外壁材Ａの表面材として、金属製外壁材Ｂの代わりに窯業系素材、もしくは合成樹脂材（プラスチック）、等で形成してもよいものである。
【００１０】
さらに説明すると、金属製外壁材Ｂは長尺板状であり、図１に示すように、垂直な化粧面４と、化粧面４の裏面５と、化粧面４の下端の先端６と、先端６と化粧面４に沿って内側方に突出した上面７と、上面７の先端を内方に突出した最奥片８と、最奥片８の先端を下端側に突出した差込片９と、上面７と最奥片８と差込片９とから略コ字状の係合溝１０を形成し、上面７と係合溝１０により挿入間隙１１を形成し、化粧面４には化粧面４の下端側先端をさらに突出した突出片４ａを形成して雄型連結部１２としたものである。
【００１１】
また、図１に示すように、化粧面４の上端側端部分には、化粧面４の上端部分を内方に屈曲した側面４ｂと、側面４ｂの先端を上方に突出し、先端を下端側に垂下した固定片１５と、固定片１５の下端を外方に屈曲した第１防水片１３と、第１防水片１３の先端を上端側に突出した上面１４と、上面１４と固定面１５とから断面略コ字状に形成した前記差込片９と嵌合する嵌合溝１６と、上面１４の先端を下端側へ突出した第２防水片１８と、上面１４と第２防水片１８とから形成した嵌合片１７と、第２防水片１８の先端に形成した突起１９と、第２防水片１８を凹状に窪ませた凹部２０とから雌型連結部２１を形成したものである。
【００１２】
突出片４ａは、図６に示すように化粧面４の上端部分の側面４ｂを覆うように形成し、外壁材Ａ連結により形成される溝状の目地を無くし、意匠性に富むと共に防水性、気密性を向上するものである。
【００１３】
上面７は図４、図５に示すように、嵌合時に上面７が第２防水片１８の先端部分、所為突起１９に衝突し、第２防水片１８がその衝突力により自己の持つスプリングバックにより変形し、強固に連結されるものである。
【００１４】
差込片９は嵌合溝１６に嵌合して外壁材Ａを連結するために形成したものである。
【００１５】
第１防水片１３は、上側に屈曲することにより防水機能を付加すると共に、嵌合片１７の一部としても機能する部分である。
【００１６】
第２防水片１８は外壁材Ａに吹き付ける雨、風が、直接外壁材Ａの上面７に吹き付けるのを防止し、外壁材Ａが風により剥がされるのを防止するものである。つまり、図６に示すように、風が吹き付けると、風が空間γ内に浸入したとしても、下段の外壁材Ａの第２防水片１８は風により防水片１３の先端を中心に回転するように浮き上がる力が働くが、逆に上面１４が上段の外壁材Ａの差込片９を押さえ込むような力が働き係合力が強化され、外壁材Ａが風により剥がされるのを防止するものである。
【００１７】
第２防水片１８は、嵌合溝１６お最奥よりも下端側へ突出することにより、断面コ字状の溝である空間γを形成し、この空間γと第２防水片１８が内部に浸入しようとする雨・風・暖気・寒気を遮断するものである。
【００１８】
突起１９は、図４、図５に示すように、嵌合時に上面７に衝突し、第２防水片１８がその衝突力により自己の持つスプリングバックにより変形し、強固に連結されるものである。
【００１９】
凹部２０は、毛細管現象を防止し防水性を強化するために形成したものである。
【００２０】
ここで寸法関係について説明すると、図１、図２に示すように上面７の長さをＪ、嵌合片１７の先端から化粧面４までの距離をｊ、嵌合片１７の幅をＴ１、上面１４から化粧面４までの高さをＴ２、上面１４から突起１９までの高さをＴ３、係合溝１０の開口幅をＷ、第２防水片１８から突起１９までの高さをΔｗ、雄型連結部１２側の厚さをＨ１、雌型連結部２１側の厚さをＨ２とすると、Ｗ＞Ｔ１、Ｗ＞Ｔ２、Ｗ＞Ｔ３、Ｔ３−Ｗ＝１〜３ｍｍ位、Ｔ３＞Ｔ１、Δｗ＝Ｔ１−Ｔ３、Δｗ＝２〜６ｍｍ位、Ｊ＞ｊ、Ｈ１＝Ｈ２、の関係である。
【００２１】
また、Ｈ１＝Ｈ２の関係であるために、先端６部分の厚さ分だけ外壁材Ａが傾斜して連結されるために、図６に示すように外壁材Ａはθだけ傾斜して施工されるものである。
【００２２】
この関係により、外壁材Ａ同士の連結がスムーズで、段差のない壁の掲載が可能になるものである。
【００２３】
裏打材Ｃは、ポリウレタンフォーム、ポリイソシアヌレートフォーム、フェノールフォーム、塩化ビニルフォーム、ポリエチレンフォーム、ポリスチレンフォーム、ユリアフォーム等の合成樹脂発泡体、あるいはこれら合成樹脂発泡体をシート材でサンドイッチした複合板、もしくは石膏ボード、セメント板、炭酸カルシウム板、珪酸カルシウム板、セラミック板、木片セメント板、炭酸マグネシウム板、シージングボード、シージングインシュレーションボード、合板、等よりなるもの、さらにはこれらの複合板よりなるものである。
【００２４】
シートＤは、金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。      
【産業上の利用可能性】
【００２５】
本発明に係る外壁材は、屋根材としても使用できるので、利用範囲が広範である。また、屋根材に使用すれば、雪止めとしても機能する。
【図面の簡単な説明】
【００２６】
【図１】本発明に係る外壁材の代表的一例を示す説明図である。
【図２】本発明に係る外壁材の代表的一例を示す説明図である。
【図３】本発明に係る外壁材の施工順序を示す説明図である。
【図４】本発明に係る外壁材の施工順序を示す説明図である。
【図５】本発明に係る外壁材の施工順序を示す説明図である。
【図６】本発明に係る外壁材の施工状態を示す説明図である。
【符号の説明】
【００２７】
α  下地
β  固定具
γ  空間
Ａ  外壁材
Ｂ  金属製外壁材
Ｃ  裏打材
Ｄ  シート
１  躯体
２  胴縁
３  防水シート
４  化粧面
４ａ  突出片
４ｂ  側面
５  裏面
６  先端
７  上面
８  最奥片
９  差込片
１０  係合溝
１１  挿入間隙
１２  雄型連結部
１３  第１防水片
１４  上面
１５  固定片
１６  嵌合溝
１７  嵌合片
１８  第２防水片
１９  突起
２０  凹部
２１  雌型連結部
【図１】
2006193957.tif 000003
【図２】
2006193957.tif 000004
【図３】
2006193957.tif 000005
【図４】
2006193957.tif 000006
【図５】
2006193957.tif 000007
【図６】
2006193957.tif 000008